(57)【要約】【課題】電力残量に応じたコンテンツを選択し、コンテンツ再生に伴う受信機の電池切れを生じにくくする。【解決手段】コンテンツ送信装置１では、電池残割合とコンテンツ識別子の通知を受けたなら、電池残割合閾値記憶部１２から電池残割合閾値（２０％）を読み出し（Ｓ１）、電池残割合と電池残割合閾値を比較する（Ｓ３）。電池残割合が電池残割合閾値未満なら、コンテンツ記憶部１１からコンテンツ識別子に対応づけられた小消費電力コンテンツを読み出す（Ｓ５）。一方、電池残割合が電池残割合閾値以上なら、コンテンツ記憶部１１からコンテンツ識別子に対応づけられた大消費電力コンテンツを読み出す（Ｓ７）。次に、コンテンツ送信部１４は、ステップＳ５で読み出された小消費電力コンテンツまたはステップＳ７で読み出された大消費電力コンテンツを、通知を行った受信機２に送信し（Ｓ９）、処理を終える。【選択図】図３
2013255001.tif 000002
【特許請求の範囲】
【請求項１】
複数のコンテンツ識別子のそれぞれに対し、当該コンテンツ識別子に対応するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、
コンテンツを再生可能な受信機から通知される電池残割合について使用される電池残割合閾値を記憶した電池残割合閾値記憶部と、
コンテンツを再生可能な受信機から、当該受信機の電池の電力容量に対する当該電池の電力残量の割合を示す電池残割合、ならびに、再生の要望があったコンテンツを示すコンテンツ識別子の通知を受けたなら、前記電池残割合閾値記憶部から電池残割合閾値を読み出し、当該電池残割合が当該電池残割合閾値未満なら、前記コンテンツ記憶部から当該コンテンツ識別子に対応づけられた小消費電力コンテンツを読み出す一方、当該電池残割合が当該電池残割合閾値以上なら、前記コンテンツ記憶部から当該コンテンツ識別子に対応づけられた大消費電力コンテンツを読み出すコンテンツ選択部と、
前記読み出された小消費電力コンテンツまたは大消費電力コンテンツを前記受信機に送信するコンテンツ送信部と
を備えることを特徴とするコンテンツ送信装置。
【請求項２】
複数のコンテンツ識別子のそれぞれに対し、当該コンテンツ識別子に対応する内容を有するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、
前記複数のコンテンツ識別子のそれぞれに対し、当該コンテンツ識別子に対応するコンテンツの再生の要望があった場合に使用される電池残割合閾値であるコンテンツ別電池残割合閾値を対応づけて記憶したコンテンツ別電池残割合閾値記憶部と、
コンテンツを再生可能な受信機から、当該受信機の電池の電力容量に対する当該電池の電力残量の割合を示す電池残割合、ならびに、再生の要望があったコンテンツを示すコンテンツ識別子の通知を受けたなら、前記コンテンツ別電池残割合閾値記憶部から当該コンテンツ識別子に対応づけられたコンテンツ別電池残割合閾値を読み出し、当該電池残割合が当該コンテンツ別電池残割合閾値未満なら、前記コンテンツ記憶部から当該コンテンツ識別子に対応づけられた小消費電力コンテンツを読み出す一方、当該電池残割合が当該コンテンツ別電池残割合閾値以上なら、前記コンテンツ記憶部から当該コンテンツ識別子に対応づけられた大消費電力コンテンツを読み出すコンテンツ選択部と、
前記読み出された小消費電力コンテンツまたは大消費電力コンテンツを前記受信機に送信するコンテンツ送信部と
を備えることを特徴とするコンテンツ送信装置。
【請求項３】
複数のコンテンツ識別子のそれぞれに対し、当該コンテンツ識別子に対応するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、
コンテンツを再生可能な受信機から通知される電池残割合について使用される電池残割合閾値を記憶した電池残割合閾値記憶部と、
コンテンツを再生可能な受信機の機種を示す複数の機種識別子のそれぞれに対し、予め定められた標準機種の電池の電力容量に対する当該機種識別子に対応する機種の電力容量の比である電力容量比を対応づけて記憶した電力容量比記憶部と、
コンテンツを再生可能な受信機から、当該受信機の機種を示す機種識別子、当該受信機の電池の電力容量に対する当該電池の電力残量の割合を示す電池残割合、ならびに、再生の要望があったコンテンツを示すコンテンツ識別子の通知を受けたなら、前記電池残割合閾値記憶部から電池残割合閾値を読み出し、前記電力容量比記憶部から当該機種識別子に対応づけられた電力容量比を読み出し、当該電池残割合閾値を当該電力容量比で除す除算を行い、当該電池残割合が当該除算の結果値未満なら、前記コンテンツ記憶部から当該コンテンツ識別子に対応づけられた小消費電力コンテンツを読み出す一方、当該電池残割合が当該結果値以上なら、前記コンテンツ記憶部から当該コンテンツ識別子に対応づけられた大消費電力コンテンツを読み出すコンテンツ選択部と、
前記読み出された小消費電力コンテンツまたは大消費電力コンテンツを前記受信機に送信するコンテンツ送信部と
を備えることを特徴とするコンテンツ送信装置。
【請求項４】
コンテンツを送信するコンテンツ送信装置の動作方法であって、
前記コンテンツ送信装置は、
複数のコンテンツ識別子のそれぞれに対し、当該コンテンツ識別子に対応するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、
コンテンツを再生可能な受信機から通知される電池残割合について使用される電池残割合閾値を記憶した電池残割合閾値記憶部とを備え、
前記動作方法は、
前記コンテンツ送信装置のコンテンツ選択部が、
コンテンツを再生可能な受信機から、当該受信機の電池の電力容量に対する当該電池の電力残量の割合を示す電池残割合、ならびに、再生の要望があったコンテンツを示すコンテンツ識別子の通知を受けたなら、前記電池残割合閾値記憶部から電池残割合閾値を読み出し、当該電池残割合が当該電池残割合閾値未満なら、前記コンテンツ記憶部から当該コンテンツ識別子に対応づけられた小消費電力コンテンツを読み出す一方、当該電池残割合が当該電池残割合閾値以上なら、前記コンテンツ記憶部から当該コンテンツ識別子に対応づけられた大消費電力コンテンツを読み出し、
前記コンテンツ送信装置のコンテンツ送信部が、
前記読み出された小消費電力コンテンツまたは大消費電力コンテンツを前記受信機に送信する
ことを特徴とするコンテンツ送信装置の動作方法。
【請求項５】
コンテンツを送信するコンテンツ送信装置の動作方法であって、
前記コンテンツ送信装置は、
複数のコンテンツ識別子のそれぞれに対し、当該コンテンツ識別子に対応する内容を有するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、
前記複数のコンテンツ識別子のそれぞれに対し、当該コンテンツ識別子に対応するコンテンツの再生の要望があった場合に使用される電池残割合閾値であるコンテンツ別電池残割合閾値を対応づけて記憶したコンテンツ別電池残割合閾値記憶部とを備え、
前記動作方法は、
前記コンテンツ送信装置のコンテンツ選択部が、
コンテンツを再生可能な受信機から、当該受信機の電池の電力容量に対する当該電池の電力残量の割合を示す電池残割合、ならびに、再生の要望があったコンテンツを示すコンテンツ識別子の通知を受けたなら、前記コンテンツ別電池残割合閾値記憶部から当該コンテンツ識別子に対応づけられたコンテンツ別電池残割合閾値を読み出し、当該電池残割合が当該コンテンツ別電池残割合閾値未満なら、前記コンテンツ記憶部から当該コンテンツ識別子に対応づけられた小消費電力コンテンツを読み出す一方、当該電池残割合が当該コンテンツ別電池残割合閾値以上なら、前記コンテンツ記憶部から当該コンテンツ識別子に対応づけられた大消費電力コンテンツを読み出し、
前記コンテンツ送信装置のコンテンツ送信部が、
前記読み出された小消費電力コンテンツまたは大消費電力コンテンツを前記受信機に送信する
ことを特徴とするコンテンツ送信装置の動作方法。
【請求項６】
コンテンツを送信するコンテンツ送信装置の動作方法であって、
前記コンテンツ送信装置は、
複数のコンテンツ識別子のそれぞれに対し、当該コンテンツ識別子に対応するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、
コンテンツを再生可能な受信機から通知される電池残割合について使用される電池残割合閾値を記憶した電池残割合閾値記憶部と、
コンテンツを再生可能な受信機の機種を示す複数の機種識別子のそれぞれに対し、予め定められた標準機種の電池の電力容量に対する当該機種識別子に対応する機種の電力容量の比である電力容量比を対応づけて記憶した電力容量比記憶部とを備え
前記動作方法は、
前記コンテンツ送信装置のコンテンツ送信部が、
コンテンツを再生可能な受信機から、当該受信機の機種を示す機種識別子、当該受信機の電池の電力容量に対する当該電池の電力残量の割合を示す電池残割合、ならびに、再生の要望があったコンテンツを示すコンテンツ識別子の通知を受けたなら、前記電池残割合閾値記憶部から電池残割合閾値を読み出し、前記電力容量比記憶部から当該機種識別子に対応づけられた電力容量比を読み出し、当該電池残割合閾値を当該電力容量比で除す除算を行い、当該電池残割合が当該除算の結果値未満なら、前記コンテンツ記憶部から当該コンテンツ識別子に対応づけられた小消費電力コンテンツを読み出す一方、当該電池残割合が当該結果値以上なら、前記コンテンツ記憶部から当該コンテンツ識別子に対応づけられた大消費電力コンテンツを読み出し、
前記コンテンツ送信装置のコンテンツ送信部が、
前記読み出された小消費電力コンテンツまたは大消費電力コンテンツを前記受信機に送信する
ことを特徴とするコンテンツ送信装置の動作方法。
【請求項７】
請求項１ないし３のいずれかに記載のコンテンツ送信装置としてコンピュータを機能させるためのコンピュータプログラム。
【発明の詳細な説明】
【技術分野】
【０００１】
本発明は、電力残量に応じたコンテンツを選択し、コンテンツ再生に伴う受信機の電池切れを生じにくくすることができるコンテンツ送信装置およびその動作方法に関するものである。
【背景技術】
【０００２】
従来のコンテンツ送信装置は、コンテンツを再生可能な受信機から、受信機を示す端末識別子、受信機へのコンテンツの伝送に使用されるネットワークを示すＮＷ識別子、ならびに、再生の要望があったコンテンツを示すコンテンツ識別子の通知を受けたなら、コンテンツ識別子に対応づけて記憶したコンテンツを読み出し、ＮＷ識別子に対応づけて記憶した伝送能力を参照し、端末識別子に対応づけて記憶した表示能力を参照し、コンテンツを伝送能力および表示能力に応じて加工し、加工したコンテンツを受信機に送信する。
【０００３】
これにより、例えば、伝送能力の低いネットワークに接続された受信機や、表示能力の低い受信機でもコンテンツを受信し、再生することができる。
【先行技術文献】
【特許文献】
【０００４】
【特許文献１】特許第４１５３７７７号公報
【発明の概要】
【発明が解決しようとする課題】
【０００５】
しかしながら、従来のコンテンツ送信装置にあっては、受信機の電池の電力残量が考慮されていないので、コンテンツの再生中に電池切れが生じ、それ以降はコンテンツが再生不能となる可能性がある。
【０００６】
本発明は、上記の課題に鑑みてなされたものであり、その目的とするところは、電力残量に応じたコンテンツを選択し、コンテンツ再生に伴う受信機の電池切れを生じにくくすることができるコンテンツ送信装置およびその動作方法を提供することにある。
【課題を解決するための手段】
【０００７】
上記の課題を解決するために、第１の本発明は、複数のコンテンツ識別子のそれぞれに対し、当該コンテンツ識別子に対応するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、コンテンツを再生可能な受信機から通知される電池残割合について使用される電池残割合閾値を記憶した電池残割合閾値記憶部と、コンテンツを再生可能な受信機から、当該受信機の電池の電力容量に対する当該電池の電力残量の割合を示す電池残割合、ならびに、再生の要望があったコンテンツを示すコンテンツ識別子の通知を受けたなら、前記電池残割合閾値記憶部から電池残割合閾値を読み出し、当該電池残割合が当該電池残割合閾値未満なら、前記コンテンツ記憶部から当該コンテンツ識別子に対応づけられた小消費電力コンテンツを読み出す一方、当該電池残割合が当該電池残割合閾値以上なら、前記コンテンツ記憶部から当該コンテンツ識別子に対応づけられた大消費電力コンテンツを読み出すコンテンツ選択部と、前記読み出された小消費電力コンテンツまたは大消費電力コンテンツを前記受信機に送信するコンテンツ送信部とを備えることを特徴とするコンテンツ送信装置をもって解決手段とする。
【０００８】
第２の本発明は、複数のコンテンツ識別子のそれぞれに対し、当該コンテンツ識別子に対応する内容を有するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、前記複数のコンテンツ識別子のそれぞれに対し、当該コンテンツ識別子に対応するコンテンツの再生の要望があった場合に使用される電池残割合閾値であるコンテンツ別電池残割合閾値を対応づけて記憶したコンテンツ別電池残割合閾値記憶部と、コンテンツを再生可能な受信機から、当該受信機の電池の電力容量に対する当該電池の電力残量の割合を示す電池残割合、ならびに、再生の要望があったコンテンツを示すコンテンツ識別子の通知を受けたなら、前記コンテンツ別電池残割合閾値記憶部から当該コンテンツ識別子に対応づけられたコンテンツ別電池残割合閾値を読み出し、当該電池残割合が当該コンテンツ別電池残割合閾値未満なら、前記コンテンツ記憶部から当該コンテンツ識別子に対応づけられた小消費電力コンテンツを読み出す一方、当該電池残割合が当該コンテンツ別電池残割合閾値以上なら、前記コンテンツ記憶部から当該コンテンツ識別子に対応づけられた大消費電力コンテンツを読み出すコンテンツ選択部と、前記読み出された小消費電力コンテンツまたは大消費電力コンテンツを前記受信機に送信するコンテンツ送信部とを備えることを特徴とするコンテンツ送信装置をもって解決手段とする。
【０００９】
第３の本発明は、複数のコンテンツ識別子のそれぞれに対し、当該コンテンツ識別子に対応するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、コンテンツを再生可能な受信機から通知される電池残割合について使用される電池残割合閾値を記憶した電池残割合閾値記憶部と、コンテンツを再生可能な受信機の機種を示す複数の機種識別子のそれぞれに対し、予め定められた標準機種の電池の電力容量に対する当該機種識別子に対応する機種の電力容量の比である電力容量比を対応づけて記憶した電力容量比記憶部と、コンテンツを再生可能な受信機から、当該受信機の機種を示す機種識別子、当該受信機の電池の電力容量に対する当該電池の電力残量の割合を示す電池残割合、ならびに、再生の要望があったコンテンツを示すコンテンツ識別子の通知を受けたなら、前記電池残割合閾値記憶部から電池残割合閾値を読み出し、前記電力容量比記憶部から当該機種識別子に対応づけられた電力容量比を読み出し、当該電池残割合閾値を当該電力容量比で除す除算を行い、当該電池残割合が当該除算の結果値未満なら、前記コンテンツ記憶部から当該コンテンツ識別子に対応づけられた小消費電力コンテンツを読み出す一方、当該電池残割合が当該結果値以上なら、前記コンテンツ記憶部から当該コンテンツ識別子に対応づけられた大消費電力コンテンツを読み出すコンテンツ選択部と、前記読み出された小消費電力コンテンツまたは大消費電力コンテンツを前記受信機に送信するコンテンツ送信部とを備えることを特徴とするコンテンツ送信装置をもって解決手段とする。
【００１０】
第４の本発明は、コンテンツを送信するコンテンツ送信装置の動作方法であって、前記コンテンツ送信装置は、複数のコンテンツ識別子のそれぞれに対し、当該コンテンツ識別子に対応するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、コンテンツを再生可能な受信機から通知される電池残割合について使用される電池残割合閾値を記憶した電池残割合閾値記憶部とを備え、前記動作方法は、前記コンテンツ送信装置のコンテンツ選択部が、コンテンツを再生可能な受信機から、当該受信機の電池の電力容量に対する当該電池の電力残量の割合を示す電池残割合、ならびに、再生の要望があったコンテンツを示すコンテンツ識別子の通知を受けたなら、前記電池残割合閾値記憶部から電池残割合閾値を読み出し、当該電池残割合が当該電池残割合閾値未満なら、前記コンテンツ記憶部から当該コンテンツ識別子に対応づけられた小消費電力コンテンツを読み出す一方、当該電池残割合が当該電池残割合閾値以上なら、前記コンテンツ記憶部から当該コンテンツ識別子に対応づけられた大消費電力コンテンツを読み出し、前記コンテンツ送信装置のコンテンツ送信部が、前記読み出された小消費電力コンテンツまたは大消費電力コンテンツを前記受信機に送信することを特徴とするコンテンツ送信装置の動作方法をもって解決手段とする。
【００１１】
第５の本発明は、コンテンツを送信するコンテンツ送信装置の動作方法であって、前記コンテンツ送信装置は、複数のコンテンツ識別子のそれぞれに対し、当該コンテンツ識別子に対応する内容を有するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、前記複数のコンテンツ識別子のそれぞれに対し、当該コンテンツ識別子に対応するコンテンツの再生の要望があった場合に使用される電池残割合閾値であるコンテンツ別電池残割合閾値を対応づけて記憶したコンテンツ別電池残割合閾値記憶部とを備え、前記動作方法は、前記コンテンツ送信装置のコンテンツ選択部が、コンテンツを再生可能な受信機から、当該受信機の電池の電力容量に対する当該電池の電力残量の割合を示す電池残割合、ならびに、再生の要望があったコンテンツを示すコンテンツ識別子の通知を受けたなら、前記コンテンツ別電池残割合閾値記憶部から当該コンテンツ識別子に対応づけられたコンテンツ別電池残割合閾値を読み出し、当該電池残割合が当該コンテンツ別電池残割合閾値未満なら、前記コンテンツ記憶部から当該コンテンツ識別子に対応づけられた小消費電力コンテンツを読み出す一方、当該電池残割合が当該コンテンツ別電池残割合閾値以上なら、前記コンテンツ記憶部から当該コンテンツ識別子に対応づけられた大消費電力コンテンツを読み出し、前記コンテンツ送信装置のコンテンツ送信部が、前記読み出された小消費電力コンテンツまたは大消費電力コンテンツを前記受信機に送信することを特徴とするコンテンツ送信装置の動作方法をもって解決手段とする。
【００１２】
第６の本発明は、コンテンツを送信するコンテンツ送信装置の動作方法であって、前記コンテンツ送信装置は、複数のコンテンツ識別子のそれぞれに対し、当該コンテンツ識別子に対応するコンテンツである大消費電力コンテンツ、ならびに、当該コンテンツ識別子に対応し且つ当該大消費電力コンテンツの消費電力より小さい消費電力のコンテンツである小消費電力コンテンツを対応づけて記憶したコンテンツ記憶部と、コンテンツを再生可能な受信機から通知される電池残割合について使用される電池残割合閾値を記憶した電池残割合閾値記憶部と、コンテンツを再生可能な受信機の機種を示す複数の機種識別子のそれぞれに対し、予め定められた標準機種の電池の電力容量に対する当該機種識別子に対応する機種の電力容量の比である電力容量比を対応づけて記憶した電力容量比記憶部とを備え、前記動作方法は、前記コンテンツ送信装置のコンテンツ送信部が、コンテンツを再生可能な受信機から、当該受信機の機種を示す機種識別子、当該受信機の電池の電力容量に対する当該電池の電力残量の割合を示す電池残割合、ならびに、再生の要望があったコンテンツを示すコンテンツ識別子の通知を受けたなら、前記電池残割合閾値記憶部から電池残割合閾値を読み出し、前記電力容量比記憶部から当該機種識別子に対応づけられた電力容量比を読み出し、当該電池残割合閾値を当該電力容量比で除す除算を行い、当該電池残割合が当該除算の結果値未満なら、前記コンテンツ記憶部から当該コンテンツ識別子に対応づけられた小消費電力コンテンツを読み出す一方、当該電池残割合が当該結果値以上なら、前記コンテンツ記憶部から当該コンテンツ識別子に対応づけられた大消費電力コンテンツを読み出し、前記コンテンツ送信装置のコンテンツ送信部が、前記読み出された小消費電力コンテンツまたは大消費電力コンテンツを前記受信機に送信することを特徴とするコンテンツ送信装置の動作方法をもって解決手段とする。
【発明の効果】
【００１３】
本発明によれば、電力残量に応じたコンテンツを選択し、コンテンツ再生に伴う受信機の電池切れを生じにくくすることができる。
【図面の簡単な説明】
【００１４】
【図１】第１の実施の形態に係るコンテンツ送信装置の利用形態および構成等を示す図である。
【図２】コンテンツ記憶部１１の構成の一例を示す図である。
【図３】コンテンツ送信装置１におけるコンテンツの要求に対する動作を示すフローチャートである。
【図４】第２の実施の形態に係るコンテンツ送信装置の利用形態および構成等を示す図である。
【図５】コンテンツ別電池残割合閾値記憶部１０２の構成の一例を示す図である。
【図６】コンテンツ送信装置１０におけるコンテンツの要求に対する動作を示すフローチャートである。
【図７】第３の実施の形態に係るコンテンツ送信装置の利用形態および構成等を示す図である。
【図８】電力容量比記憶部１００３の構成の一例を示す図である。
【図９】コンテンツ送信装置１００におけるコンテンツの要求に対する動作を示すフローチャートである。
【発明を実施するための形態】
【００１５】
以下、本発明の実施の形態について図面を参照して説明する。
【００１６】
［第１の実施の形態］
図１は、第１の実施の形態に係るコンテンツ送信装置の利用形態および構成等を示す図である。
【００１７】
コンテンツ送信装置１は、図示しない通信ネットワークを介して、コンテンツを再生可能な受信機２と通信可能に接続される。図の受信機２は、例えば、２以上の受信機２の１つを示すものである。
【００１８】
コンテンツ送信装置１は、受信機２からの要求に応じたコンテンツを受信機２に送信し、これにより、受信機２でコンテンツを再生できるようにする装置である。コンテンツは、動画形式のコンテンツ（以下、動画コンテンツ）、音楽形式のコンテンツ（以下、音楽コンテンツ）、ウェブページ、ゲームなどである。
【００１９】
コンテンツ送信装置１は、複数のコンテンツを記憶したコンテンツ記憶部１１と、受信機２から通知される電池残割合について使用される電池残割合閾値を記憶した電池残割合閾値記憶部１２と、コンテンツ記憶部１１からコンテンツを選択し読み出すコンテンツ選択部１３と、読み出されたコンテンツを受信機２に送信するコンテンツ送信部１４とを備える。電池残割合閾値は、ここでは、２０％とする。
【００２０】
受信機２は、図示しない電池（バッテリーなど）と、電池の電力容量に対する電池の電力残量の割合を示す電池残割合（電力残量を電力容量で除した結果値であり、以下、単に電池残割合という）を求める電池残割合取得部２１と、コンテンツ送信装置１にコンテンツを要求するコンテンツ要求部２２と、コンテンツ送信装置１から受信したコンテンツを再生するコンテンツ再生部２３とを備える。
【００２１】
図２は、コンテンツ記憶部１１の構成の一例を示す図である。なお、コンテンツ記憶部１１の構成は、後述のコンテンツ記憶部１０１、１００１と構成と同様である。
【００２２】
コンテンツ記憶部１１は、複数のコンテンツ識別子のそれぞれに対し、コンテンツ識別子に対応するコンテンツ、ならびに、コンテンツ識別子に対応し且つ当該コンテンツの消費電力より小さい消費電力のコンテンツを対応づけて記憶している。消費電力とは、コンテンツを受信機２で再生した際の消費電力である。
【００２３】
以下、前者のコンテンツを大消費電力コンテンツ、後者のコンテンツを小消費電力コンテンツという。大消費電力コンテンツは例えば動画コンテンツであり、小消費電力コンテンツは例えば音楽コンテンツである。
【００２４】
（コンテンツ送信装置１の動作）
受信機２では、例えば、そのユーザが、再生の要望があったコンテンツを示す操作を行うと、電池残割合取得部２１が、その時点での電池残割合を求め、これをコンテンツ要求部２２に通知する。コンテンツ要求部２２は、再生の要望があったコンテンツを示すコンテンツ識別子を操作内容を基に求め、コンテンツの要求として、電池残割合とコンテンツ識別子をコンテンツ送信装置１に通知する。
【００２５】
図３は、コンテンツ送信装置１におけるコンテンツの要求に対する動作を示すフローチャートである。
【００２６】
コンテンツ送信装置１では、電池残割合とコンテンツ識別子の通知を受けたなら、コンテンツ選択部１３が、電池残割合閾値記憶部１２から電池残割合閾値（２０％）を読み出し（Ｓ１）、電池残割合と電池残割合閾値を比較する（Ｓ３）。
【００２７】
コンテンツ選択部１３は、電池残割合が電池残割合閾値未満なら、コンテンツ記憶部１１からコンテンツ識別子に対応づけられた小消費電力コンテンツを読み出す（Ｓ５）。一方、コンテンツ選択部１３は、電池残割合が電池残割合閾値以上なら、コンテンツ記憶部１１からコンテンツ識別子に対応づけられた大消費電力コンテンツを読み出す（Ｓ７）。
【００２８】
次に、コンテンツ送信部１４は、ステップＳ５で読み出された小消費電力コンテンツまたはステップＳ７で読み出された大消費電力コンテンツを、通知を行った受信機２に送信し（Ｓ９）、処理を終える。
【００２９】
（具体例）
例えば、電池残割合が「１０％」なら音楽コンテンツが送信される。音楽コンテンツは消費電力が小さいので、かかる低い電池残割合であっても、再生中に電池切れが生じる可能性が低く、コンテンツを最後まで楽しめることを期待できる。
【００３０】
一方、例えば、電池残割合が「５０％」なら動画コンテンツが送信される。動画コンテンツは消費電力が大きいが、電池残割合も高いので、再生中に電池切れが生じる可能性は低く、コンテンツを最後まで楽しめることを期待できる。
【００３１】
［第２の実施の形態］
次に、本発明の第２の実施の形態について説明する。第２の実施の形態では、第１の実施の形態に同一または類似の装置および装置構成を用い、同一または類似のものについては同一の名称や符号を使用し、第１の実施の形態とは異なる事項を中心に説明を行う。
【００３２】
図４は、第２の実施の形態に係るコンテンツ送信装置の利用形態および構成等を示す図である。
【００３３】
コンテンツ送信装置１０は、通信ネットワークを介して、受信機２と通信可能に接続される。
【００３４】
コンテンツ送信装置１０は、コンテンツ記憶部１０１と、コンテンツ別の電池残割合閾値であるコンテンツ別電池残割合閾値を記憶したコンテンツ別電池残割合閾値記憶部１０２と、コンテンツ選択部１０３と、コンテンツ送信部１０４とを備える。
【００３５】
受信機２は、電池残割合取得部２１と、コンテンツ要求部２２と、コンテンツ再生部２３とを備える。
【００３６】
図５は、コンテンツ別電池残割合閾値記憶部１０２の構成の一例を示す図である。
【００３７】
コンテンツ別電池残割合閾値記憶部１０２は、コンテンツ記憶部１０１に記憶された複数のコンテンツ識別子のそれぞれに対し、コンテンツ識別子に対応するコンテンツの再生の要望があった場合に使用される電池残割合閾値であるコンテンツ別電池残割合閾値を対応づけて記憶している。
【００３８】
例えば、コンテンツ識別子「Ｃ００１」に対応づけられたコンテンツ別電池残割合閾値は、コンテンツ記憶部１０１においてそのコンテンツ識別子に対応づけられた大消費電力コンテンツ（例えば、動画コンテンツ）の再生時間が比較的短いので、例えば、「３０％」となっている。
【００３９】
一方、コンテンツ識別子「Ｃ００２」に対応づけられたコンテンツ別電池残割合閾値は、コンテンツ記憶部１０１においてそのコンテンツ識別子に対応づけられた大消費電力コンテンツ（例えば、動画コンテンツ）の再生時間が若干長いので、例えば、「４０％」となっている。
【００４０】
（コンテンツ送信装置１０の動作）
受信機２は、第１の実施の形態と同様に、電池残割合とコンテンツ識別子をコンテンツ送信装置１０に通知する。
【００４１】
図６は、コンテンツ送信装置１０におけるコンテンツの要求に対する動作を示すフローチャートである。
【００４２】
コンテンツ送信装置１０では、電池残割合とコンテンツ識別子の通知を受けたなら、コンテンツ選択部１０３が、コンテンツ別電池残割合閾値記憶部１０２からコンテンツ識別子に対応づけられたコンテンツ別電池残割合閾値を読み出し（Ｓ１１）、電池残割合とコンテンツ別電池残割合閾値を比較する（Ｓ１３）。
【００４３】
コンテンツ選択部１３は、電池残割合がコンテンツ別電池残割合閾値未満なら、コンテンツ記憶部１０１からコンテンツ識別子に対応づけられた小消費電力コンテンツを読み出す（Ｓ１５）。一方、コンテンツ選択部１０３は、電池残割合がコンテンツ別電池残割合閾値以上なら、コンテンツ記憶部１０１からコンテンツ識別子に対応づけられた大消費電力コンテンツを読み出す（Ｓ１７）。
【００４４】
次に、コンテンツ送信部１０４は、ステップＳ１５で読み出された小消費電力コンテンツまたはステップＳ１７で読み出された大消費電力コンテンツを、通知を行った受信機２に送信し（Ｓ１９）、処理を終える。
【００４５】
（具体例）
例えば、コンテンツ識別子が「Ｃ００１」で電池残割合が「３５％」ならそのコンテンツ識別子に対応する動画コンテンツが送信される。
【００４６】
一方、例えば、電池残割合が同じく「３５％」でも、コンテンツ識別子が「Ｃ００２」ならそのコンテンツ識別子に対応する音楽コンテンツが送信される。
【００４７】
つまり、後者の場合に、そのコンテンツ識別子に対応する動画コンテンツが送信、再生され、これにより電池切れの可能性が高まることはなく、コンテンツを最後まで楽しめることを期待できる。
【００４８】
［第３の実施の形態］
次に、本発明の第３の実施の形態について説明する。第３の実施の形態では、第１、第２の実施の形態に同一または類似の装置および装置構成を用い、同一または類似のものについては同一の名称や符号を使用し、第１、第２の実施の形態とは異なる事項を中心に説明を行う。
【００４９】
図７は、第３の実施の形態に係るコンテンツ送信装置の利用形態および構成等を示す図である。
【００５０】
コンテンツ送信装置１００は、通信ネットワークを介して、受信機２と通信可能に接続される。
【００５１】
コンテンツ送信装置１００は、コンテンツ記憶部１００１と、電池残割合閾値記憶部１００２と、受信機２としての標準機種の電池の電力容量に対する各機種の電力容量の比である電力容量比を記憶した電力容量比記憶部１００３と、コンテンツ選択部１００４と、コンテンツ送信部１００５とを備える。電池残割合閾値記憶部１００２に記憶された電池残割合閾値は、ここでは、２０％とする。
【００５２】
受信機２は、電池残割合取得部２１と、コンテンツ要求部２２と、コンテンツ再生部２３とを備える。
【００５３】
図８は、電力容量比記憶部１００３の構成の一例を示す図である。
【００５４】
電力容量比記憶部１００３は、コンテンツを再生可能な受信機の機種を示す複数の機種識別子のそれぞれに対し、予め定められた標準機種の電池の電力容量に対する当該機種識別子に対応する機種の電力容量の比である電力容量比が対応づけて記憶されている。
【００５５】
例えば、機種識別子「Ｐ００１」に対応づけられた電力容量比は、この機種識別子に対応する機種の電力容量が、標準機種の電力容量の１．５倍なので、「１．５」となっている。
【００５６】
一方、機種識別子「Ｐ００２」に対応づけられた電力容量比は、この機種識別子に対応する機種の電力容量が、標準機種の電力容量の０．５倍なので、「０．５」となっている。
【００５７】
（コンテンツ送信装置１００の動作）
受信機２は、第１の実施の形態と同様に、電池残割合とコンテンツ識別子をコンテンツ送信装置１００に通知する。
【００５８】
また、これと同時に、コンテンツ要求部２２は、受信機２の機種を示す機種識別子をコンテンツ送信装置１００に通知する。
【００５９】
図９は、コンテンツ送信装置１００におけるコンテンツの要求に対する動作を示すフローチャートである。
【００６０】
コンテンツ送信装置１００では、機種識別子と電池残割合とコンテンツ識別子の通知を受けたなら、コンテンツ選択部１００４が、電池残割合閾値記憶部１００２から電池残割合閾値を読み出し（Ｓ１０１）、電力容量比記憶部１００３から機種識別子に対応づけられた電力容量比を読み出し（Ｓ１０３）、電池残割合閾値を電力容量比で除す除算を行い（Ｓ１０５）、電池残割合と除算の結果値を比較する（Ｓ１０７）。
【００６１】
コンテンツ選択部１００４は、電池残割合が除算の結果値未満なら、コンテンツ記憶部１００１からコンテンツ識別子に対応づけられた小消費電力コンテンツを読み出す（Ｓ１０９）。一方、コンテンツ選択部１００４は、電池残割合が除算の結果値以上なら、コンテンツ記憶部１００１からコンテンツ識別子に対応づけられた大消費電力コンテンツを読み出す（Ｓ１１１）。
【００６２】
次に、コンテンツ送信部１００５は、ステップＳ１０９で読み出された小消費電力コンテンツまたはステップＳ１１１で読み出された大消費電力コンテンツを、通知を行った受信機２に送信し（Ｓ１１３）、処理を終える。
【００６３】
（具体例）
例えば、機種識別子が「Ｐ００１」であり、これにより、電力容量比「１．５」が読み出される。電池残割合閾値は「２０％」なので、除算の結果値は約「１３．３％」となる。電池残割合が「１５％」なら、例えば、動画コンテンツが送信される。つまり、電池残割合が電池残割合閾値未満であっても、機種識別子「Ｐ００１」に対応する電力容量の大きい機種では、電池切れの可能性が低いので、動画コンテンツが送信される。しかも、電池切れの可能性が低いので、コンテンツを最後まで楽しめることを期待できる。
【００６４】
一方、機種識別子が「Ｐ００２」であり、これにより、電力容量比「０．５」が読み出される。電池残割合閾値が「２０％」なので、除算の結果値は「４０％」となる。電池残割合が「３０％」なら、例えば、音楽コンテンツが送信される。つまり、電池残割合が電池残割合閾値より大きくても、機種識別子「Ｐ００２」に対応する電力容量の小さい機種では、電池切れの可能性が高いので、音楽コンテンツが送信される。したがって、電池切れの可能性を低くでき、しかも、コンテンツを最後まで楽しめることを期待できる。
【００６５】
なお、上記各実施の形態では、大消費電力コンテンツを動画コンテンツ、小消費電力コンテンツを音楽コンテンツとしたが、両方を動画コンテンツや音楽コンテンツとし、大消費電力コンテンツの符号化レートを高くし、小消費電力コンテンツの符号化レートを低くしてもよい。また、両方を動画コンテンツや静止画コンテンツとし、大消費電力コンテンツの解像度を高くし、小消費電力コンテンツの解像度を低くしてもよい。または、両方を動画コンテンツや音楽コンテンツとし、大消費電力コンテンツの再生時間を長くし、小消費電力コンテンツの再生時間を短くしてもよい。また、大消費電力コンテンツを複雑な処理を要するウェブページやゲームとし、小消費電力コンテンツを複雑な処理を要しないウェブページやゲームとしてもよい。
【００６６】
なお、各コンテンツ送信装置１、１０、１００としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【００６７】
また、電池残割合閾値はコンテンツ再生に必要な電力を考慮して設定する値だが、当該コンテンツ再生後に10分間通話可能な状態にするなど、受信機に一定の電力が残るように設定することも考えられる。
【符号の説明】
【００６８】
１、１０、１００  コンテンツ送信装置
２  受信機
１１、１０１、１００１  コンテンツ記憶部
１２、１００２  電池残割合閾値記憶部
１３、１０３、１００４  コンテンツ選択部
１４、１０４、１００５コンテンツ送信部
２１  電池残割合取得部
２２  コンテンツ要求部
２３  コンテンツ再生部
１０２  コンテンツ別電池残割合閾値記憶部
１００３  電力容量比記憶部
【図１】
2013255001.tif 000003
【図２】
2013255001.tif 000004
【図３】
2013255001.tif 000005
【図４】
2013255001.tif 000006
【図５】
2013255001.tif 000007
【図６】
2013255001.tif 000008
【図７】
2013255001.tif 000009
【図８】
2013255001.tif 000010
【図９】
2013255001.tif 000011